(57)【要約】      （修正有）【課題】新たな球技を提案するとともに、当該球技を行うためのマットを提供する。【解決手段】球技用マット１０は、パターリングに用いる球技用マットであって、長手方向の一端側に設けられた、短手方向に延びるボールの打球位置を示すティーライン１２と、前記長手方向の他端側に設けられた、複数の同心円からなり打球目標を示すハウス１１と、を備える。【選択図】図１
0003235263.tif 000002
【実用新案登録請求の範囲】
【請求項１】
パターリングに用いる球技用マットであって、
長手方向の一端側に設けられた、短手方向に延びるボールの打球位置を示すティーラインと、
前記長手方向の他端側に設けられた、複数の同心円からなり打球目標を示すハウスと、
を備える球技用マット。
【請求項２】
請求項１に記載の球技用マットであって、
前記ハウスは、前記ボールの打球目標点であるセンターを中心とする複数の同心円からなり、
前記複数の同心円は、ライン幅が異なる
球技用マット。
【請求項３】
請求項１または２に記載の球技用マットであって、
前記ティーラインと前記ハウスとの間に設けられた、前記短手方向に所定間隔で配置された複数のガイドマーカ、を備える
球技用マット。
【考案の詳細な説明】
【技術分野】
【０００１】
本考案は、球技用マットに関する。
【背景技術】
【０００２】
ゴルフのパッティングの練習のための、パッティング用のマットが知られている。
【０００３】
パッティング用のマットに関し、例えば特許文献１には「疑似ホールを有する細長いマット本体の上でゴルフボールを上記疑似ホールを目指してパターヘッドで打球することによりパット練習を行うことに用いられ、かつ、打球者の視界に入る上記マット本体の外輪郭線が、打球したボールを上記疑似ホールに向かって転がらせるための上記パターヘッドのフェースの向き及び振り抜き方向を定める基準線として利用することのできる直線状に形成されているパット練習用マットにおいて、マット本体の直線状の上記外輪郭線を、上記パターヘッドのフェースの向き及び振り抜き方向を定める基準線として利用することができないか、あるいは、利用しにくい曲線に変更したことを特徴とするパット練習用マット」が記載されている。
【先行技術文献】
【特許文献】
【０００４】
【特許文献１】特開２００６−２２３６９６号公報
【考案の概要】
【考案が解決しようとする課題】
【０００５】
ところで、パッティング用のマットは、以下のような問題がある。
・同じマットで繰り返し練習しても、起伏や芝目は同じであり、単調な練習となり、パッティング技術の向上には限度がある。
・同じマットで繰り返し練習しても、狙うカップは同じであり、単調な練習となり、パッティング技術の向上には限度がある。
・複数人で競技する場合でも、カップインまでの打数を競うのみであり、娯楽性は高くない。
【０００６】
そこで、本考案は、上記の問題を鑑み、新たな球技を提案するとともに、当該球技を行うためのマットを提供することを目的とする。
【課題を解決するための手段】
【０００７】
本考案は、上記課題の少なくとも一部を解決する手段を複数含んでいるが、その例を挙げるならば、以下のとおりである。
【０００８】
上記課題を解決すべく、本考案の一態様に係る球技用マットは、パターリング（商標）に用いる球技用マットであって、長手方向の一端側に設けられた、短手方向に延びるボールの打球位置を示すティーラインと、前記長手方向の他端側に設けられた、複数の同心円からなり打球目標を示すハウスと、を備える。
【０００９】
前記ハウスは、前記ボールの打球目標点であるセンターを中心とする複数の同心円からなすことができ、前記複数の同心円は、ライン幅が異なるようにすることができる。
【００１０】
前記球技用マットは、前記ティーラインと前記ハウスとの間に設けられた、前記短手方向に所定間隔で配置された複数のガイドマーカ、を備えることができる。
【考案の効果】
【００１１】
本考案によれば、新たな球技を提案するとともに、当該球技を行うためのマットを提供することができる。
【００１２】
上記した以外の課題、構成及び効果は、以下の実施形態の説明により明らかにされる。
【図面の簡単な説明】
【００１３】
【図１】図１は、本考案に係る一実施形態であるパターリングマットの一例を示す上面図である。
【図２】図２は、パターリングマットの詳細を説明するための図である。
【図３】図３は、パターリングのスコア表の例を示す図である。
【考案を実施するための形態】
【００１４】
以下、本考案に係る一実施形態を図面に基づいて説明する。なお、本実施形態を説明するための全図において、同一の部材には原則として同一の符号を付し、その繰り返しの説明は省略する。また、以下の実施形態において、その構成要素（要素ステップ等も含む）は、特に明示した場合および原理的に明らかに必須であると考えられる場合等を除き、必ずしも必須のものではないことは言うまでもない。また、「Ａからなる」、「Ａよりなる」、「Ａを有する」、「Ａを含む」と言うときは、特にその要素のみである旨明示した場合等を除き、それ以外の要素を排除するものでないことは言うまでもない。同様に、以下の実施形態において、構成要素等の形状、位置関係等に言及するときは、特に明示した場合および原理的に明らかにそうでないと考えられる場合等を除き、実質的にその形状等に近似または類似するもの等を含むものとする。
【００１５】
＜本考案に係る一実施形態であるパターリングマット１０＞
始めに、本考案者が提案するパターリング（商標）について説明する。パターリングは、ゴルフにおけるパッティングとカーリングとを組み合わせたスポーツである。パターリングは、本考案に係る一実施形態であるパターリング用のマット１０（図１、以下、パターリングマット１０と称する）を体育館等の屋内施設に敷設し、ゴルフ用のボール及びパターを用いて行う新たなスポーツである。競技の場所は、体育館の他、例えば、ゴルフ練習場、個人宅、スポーツバー、老人ホーム、公共施設、学校等が想定される。パターリングは、屋内施設で行うので、季節や天候に影響されることなく、一年中競技を楽しむことができる。ただし、屋外の平坦な場所にパターリングマット１０を敷設して競技を行ってもよい。ゴルフ用のボール及びパターに限らず、これらと同等の役割を果たす道具を用いてもよい。
【００１６】
図１は、本考案に係る一実施形態であるパターリングマット１０の一例を示す上面図である。以下、なお、図示するパターリングマット１０の左上を原点Ｏ、長手方向をＸ軸、短手方向をＹ軸と定義する。パターリングマット１０は、本考案の球技用マットに相当する。
【００１７】
パターリングマット１０は、Ｘ方向の長さ３０００ｍｍ、Ｙ方向の長さ９００ｍｍの矩形の敷物であり、巻き取り、または折り畳み可能とされている。これにより、パターリングマット１０は、運搬、敷設、撤収を容易に行うことができる。ただし、パターリングマット１０の外形形状は、矩形に限らず、四隅の角が丸められていたり、横長の楕円であったり、不規則な形状であったりしてもよい。
【００１８】
パターリングマット１０は、その表面にパッティングされたボールの速度を減速させ得る人工芝、絨毯等の減速部材が設けられている。また、パターリングマット１０は、その裏面に屋内施設の床面に敷設された際の滑りを防ぐシリコンゴム等の滑り止め部材が設けられている。パターリングマット１０の厚さは、特に限定されないが、例えば、１〜３ｃｍとすることができる。
【００１９】
パターリングマット１０の長手方向（Ｘ方向）の一端側（同図の場合、左側）には、ボールをパッティングする際の目標（打球目標）を示す、複数の同心円からなるハウス１１が設けられている。具体的には、当該一端側から＋Ｘ方向に４５０ｍｍ、Ｙ方向の中央の点を中心（センター１１１（図２））とする同心円が設けられている。ハウス１１は、例えば、塗料によってパターリングマット１０の表面に描かれて表示されていればよい。
【００２０】
パターリングマット１０の長手方向（Ｘ方向）の他端側（同図の場合、右側）には、ボールの打球位置を示す、Ｙ軸と平行な幅５３０ｍｍのティーライン１２が設けられている。具体的には、当該他端から−Ｘ方向３５０ｍｍの位置にティーライン１２が設けられている。
【００２１】
さらに、ティーライン１２から−Ｘ方向３００ｍｍの位置にＹ方向に等間隔で配置された複数のガイドマーカ１３が設けられている。ティーライン１２、及びガイドマーカ１３は、ハウス１１と同様、例えば、塗料によってパターリングマット１０の表面に描かれて表示されていればよい。ただし、ガイドマーカ１３の表示は省略してもよい。
【００２２】
パターリングマット１０の長手方向の中間部（ハウス１１とガイドマーカ１３の間）は、表示のない走行領域１４になっている。走行領域１４の長さは約１４５０ｍｍとなっている。
【００２３】
図２は、パターリングマット１０に形成されているハウス１１、ティーライン１２、及びガイドマーカ１３の詳細を示している。
【００２４】
ハウス１１は、打球目標点となるセンター１１１を中心とする３重の同心円１１２，１１３，１１４からなる。最も内側の同心円（以下、カップと称する）１１２は、半径５２．５ｍｍ、ライン幅６ｍｍのラインで表示されている。内側から２番目の同心円（以下、内周円と称する）１１３は、半径１６０ｍｍ、ライン幅６ｍｍのラインで表示されている。最も外側の同心円（以下、外周円と称する）１１４は、半径２６５ｍｍ、ライン幅２ｍｍのラインで表示されている。
【００２５】
ティーライン１２は、その両端のＹ座標が外周円１１４のＹ軸と平行な直径の両端のＹ座標と一致し、ライン幅５ｍｍのラインで表示されている。ガイドマーカ１３は、Ｙ方向に等間隔で４本配置され、これらのうちの両端のガイドマーカ１３のＹ座標が外周円１１４のＹ軸と平行な直径の両端のＹ座標と一致し、Ｘ軸方向３０ｍｍ、ライン幅５ｍｍのラインで表示されている。ただし、ガイドマーカ１３の数や配置は、４本、等間隔に限らない。例えば、センター１１１やカップ１１２の両端、内周円１１３の両端、外周円１１４の両端それぞれに合わせて、７本のガイドマーカ１３を配置してもよい。
【００２６】
＜パターリングのルール＞
次に、パターリングのルールについて説明する。パターリングは、競技者が１人対１人で対戦するシングル戦、３人以上の競技者がそれぞれ単独で対戦するシングルマルチ戦が可能である。ただし、パターリングマット１０のサイズを考慮すると、対戦する競技者数は４人程度までとすることが望ましい。シングル戦、及びシングルマルチ戦では、各競技者がそれぞれ異なる色のボールを用いる。
【００２７】
図３は、スコア表の例を示している。スコア表には、競技者名（またはチーム名）、ボールの色、各セットの得点、及び各セットの得点の合計が表示される。同図上段は、シングル戦のスコア表の一例である。この場合、１ゲームは４セットで構成される。同図中段は、シングルマルチ戦（３人の場合）のスコア表の一例である。この場合、１ゲームは６セットで構成される。同図下段は、シングルマルチ戦（４人の場合）のスコア表の一例である。この場合、１ゲームは８セットで構成される。なお、１ゲームを構成するセット数は変更できる。また、同図の場合、ボールの色として白、赤、青、黄を例示しているが、ボールの色はこれらに限らない。そして、各競技者は、互いにボールの色が重複しなければ、ボールの色を任意に選択することができる。
【００２８】
各セットにおいては、シングル戦の場合、各競技者が所定の持ち球数（例えば、３球）を交互に１球ずつハウス１１に向かってパッティングを行う。シングルマルチ戦の場合、各競技者が所定の持ち球数を順に１球ずつハウス１１に向かってパッティングを行う。各競技者のパッティングの順序は、セット毎に交代するのが望ましい。なお、持ち球数は変更できる。また、パッティング時のボールの位置は、ティーライン１２を境としてハウス１１の反対側（図中においてティーライン１２の右側）であって、上から見下ろしたときのボールの外周がティーライン１２上にあるものとする。
【００２９】
セット中においては、前の競技者によりパッティングされたボールを停止位置に残した状態で、次の競技者がボールをパッティングするものとする。競技者は、自身や対戦者が先にパッティングしたボールに次のボールを当てることによりその位置を変更させてもよい。
【００３０】
そして、各セットにおいては、所定の持ち球数のパッティングが終わった段階でカップ１１２内のセンター１１１に最も近くボールを停止させることができた競技者が該セットのセット勝者となり、該セット勝者がパッティングしたボールのうち、内周円１１３の中に入っているボールの数がセット勝者の得点となる。なお、ボールの位置判定は、ボールの重心（中心点）で判定するようにする。なお、競技者の技量が低い場合、セット勝者がパッティングしたボールのうち、外周円１１４の中に入っているボールの数を得点とするようにしてもよい。セット勝者以外の競技者については、該競技者がパッティングしたボールのうち、カップ１１２の中に入っているボールの数が該競技者の得点となる。したがって、各セットにおいては、セット勝者の方が他の競技者よりも得点が低いことが起こり得る。
【００３１】
そして、最終的に、より多く得点した競技者がゲームの勝者となり、得点が等しい場合、追加で１球ずつパッティングを行い、その球がセンター１１１により近い競技者がゲームの勝者となる。
【００３２】
なお、応用例として、１チーム２人で２チームが対戦するダブルス戦や１チーム２人で３チーム以上が対戦するダブルスマルチ戦等を行うことも可能である。その場合、チーム毎にそれぞれ異なる色のボールを用いるようにすればよい。
【００３３】
以上に説明したパターリングは、従来のゴルフのようにカップインまでの打数を競うのではなく、各セットの勝利や得点を基準にして勝者を決めるので、戦略的にセンター１１１やカップ１１２以外の位置、例えば、自分や相手のボールやその近傍、相手のボールの進路を塞ぐ位置等を狙って打球することがあり、距離感、打球強弱、打球方向等の繊細な打球技術の向上に資することができる。また、各セットにおける得点の戦略を練る必要があることから競技としての娯楽性が高い。
【００３４】
また、パターリングは、大きな筋力や瞬発力、持久力等は必要としないので、老若男女、健常者、障碍者等を問わずだれでも競技できる。また、パターリングは、競技として楽しむことに加えて、例えば、傷病後のリハビリテーションに利用したりすることができる。
【００３５】
なお、パターリングは、将来において、賞金を懸けたプロスポーツ化したり、実業団がチームを運営したりすることが想定される。
【００３６】
上述した実施形態において挙げた数値は一例であり、本考案を限定するものではない。例えば、パターリングマット１０のサイズ、ハウス１１のサイズや位置、ティーライン１２、及びガイドマーカ１３の位置や長さについては任意に変更が可能である。
【００３７】
なお、上記した実施形態では本考案を分かりやすく説明するために構成を詳細に説明したものであり、必ずしも説明した全ての構成を備えるものに限定されるものではない。
【符号の説明】
【００３８】
１０・・・パターリングマット、１１・・・ハウス、１１１・・・センター、１１２・・・カップ、１１３・・・内周円、１１４・・・外周円、１２・・・ティーライン、１３・・・ガイドマーカ
【図１】
0003235263.tif 000003
【図２】
0003235263.tif 000004
【図３】
0003235263.tif 000005